(57)【要約】【課題】物品の強度が低くても包装可能で、衝撃または機械的圧力から物品を保護することができ、しかも作製が容易な包装箱を提供する。【解決手段】一対の枠体２，３を互いに対向させて外箱４に挿入してなる包装箱１において、各枠体２，３は、物品Ｗを嵌め込み可能な開口２０を有する枠部２１を備えてなるものとし、この枠部２１に、布製生地もしくは不織布よりなる可撓性シート３０を、開口２０を通して嵌め込まれる物品Ｗを保持可能に撓ませた状態で貼り付けるものとする。【選択図】図１
2012035856.tif 000002
【特許請求の範囲】
【請求項１】
一対の枠体を互いに対向させて外箱に挿入してなる包装箱において、
各枠体は、物品を嵌め込み可能な開口を有する枠部を備えてなり、
前記開口を通して嵌め込まれる物品を保持可能に可撓性シートを撓ませた状態で前記枠部に貼り付けることを特徴とする包装箱。
【請求項２】
前記枠部には、前記外箱の板面に当接される側板が全周に亘って設けられる請求項１に記載の包装箱。
【請求項３】
前記開口の周縁には、物品が前記開口を通して嵌め込まれる際に折り込まれてその物品に前記可撓性シートを介して押し当てられる折込みフラップが設けられる請求項１または２に記載の包装箱。
【請求項４】
前記可撓性シートは、布製生地もしくは不織布よりなるものである請求項１〜３のいずれかに記載の包装箱。
【発明の詳細な説明】
【技術分野】
【０００１】
本発明は、衝撃または機械的圧力に敏感な物品の包装に用いられて好適な包装箱に関するものである。
【背景技術】
【０００２】
この種の従来の包装箱として、例えば、物品の外形形状に合わせて形成された発砲スチロール製の複数の緩衝体と、これら緩衝体を装着した物品を収納する外箱とを備えてなるものが用いられている。
【０００３】
しかし、上記従来の包装箱のように、発砲スチロール製の緩衝体を用いる場合には、物品の形状に合わせて緩衝体を形成する必要があり、コストが上昇するという問題点がある。また、発砲スチロール製の緩衝体を用いた場合には、廃棄物の量が多くなり、しかも廃棄する際に分別等の手間を要するという問題点もある。
【０００４】
そこで、上記のような問題点を解決し得るものとして、例えば特許文献１にて提案されている包装箱がある。
【先行技術文献】
【特許文献】
【０００５】
【特許文献１】特開平７−３３００３４号公報
【０００６】
この特許文献１に係る包装箱において、外箱に挿入される緩衝体は、中央折線で折り返したときに重なり合う２つの開口を有する段ボール紙から構成されている。この段ボール紙には、２つの開口をそれぞれ塞ぐように弾性変形可能で伸縮自在な樹脂フィルムが貼り付けられている。そして、この緩衝体においては、段ボール紙を中央折線から折り返す際に樹脂フィルム同士の間に物品を挟み込んで弾性的に支持するようにされている。
【０００７】
しかしながら、特許文献１に係る包装箱では、物品が樹脂フィルムに強く圧迫された状態で保持されるため、樹脂フィルムからの圧迫力に負けて物品の変形や破損が生じる恐れがある。このため、物品の強度が低い場合には、包装することができないという問題点がある。
また、樹脂フィルムによる物品の保持力を確保するためには、樹脂フィルムを十分に張った状態で段ボール紙に貼り付けなければならない。このため、所定のテンションを全方向に均等に掛けながら樹脂フィルムを段ボールに貼り付けるといった高度な貼付作業が必要になり、包装箱の作製が難しくなるという問題点がある。
【発明の概要】
【発明が解決しようとする課題】
【０００８】
本発明は、前述のような問題点に鑑みてなされたもので、物品の強度が低くても包装可能で、衝撃または機械的圧力から物品を保護することができ、しかも作製が容易な包装箱を提供することを目的とするものである。
【課題を解決するための手段】
【０００９】
前記目的を達成するために、本発明による包装箱は、
一対の枠体を互いに対向させて外箱に挿入してなる包装箱において、
各枠体は、物品を嵌め込み可能な開口を有する枠部を備えてなり、
前記開口を通して嵌め込まれる物品を保持可能に可撓性シートを撓ませた状態で前記枠部に貼り付けることを特徴とするものである（第１発明）。
【００１０】
本発明において、前記枠部には、前記外箱の板面に当接される側板が全周に亘って設けられるのが好ましい（第２発明）。
【００１１】
本発明において、前記開口の周縁には、物品が前記開口を通して嵌め込まれる際に折り込まれてその物品に前記可撓性シートを介して押し当てられる折込みフラップが設けられるのが好ましい（第３発明）。
【００１２】
本発明において、前記可撓性シートは、布製生地もしくは不織布よりなるものであるのが好ましい（第４発明）。
【発明の効果】
【００１３】
本発明の包装箱においては、一対の枠体のそれぞれの枠部に、可撓性シートが撓ませた状態で貼り付けられ、これら可撓性シートによって物品が保持される。このため、これら可撓性シートから物品に、変形や破損が生じるような圧迫力が作用することはなく、物品の強度が低い場合でも、物品を包装することができる。
また、本発明の包装箱においては、外箱に挿入される一対の枠体に可撓性シートを介して物品が保持される。このため、外箱から物品に伝わろうとする衝撃または機械的圧力を可撓性シートで大幅に抑えることができ、衝撃または機械的圧力から物品を保護することができる。
また、本発明の包装箱においては、枠体の枠部に可撓性シートが撓ませた状態で貼り付けられる。かかる貼付作業は簡単であり、包装箱を容易に作製することができる。
本発明の包装箱によれば、物品の強度が低くても包装可能で、衝撃または機械的圧力から物品を保護することができ、しかも作製が容易であるという効果がある。
【００１４】
第２発明の構成を採用することにより、一対の枠体のそれぞれの強度を全周に亘って向上させることができるのは勿論のこと、一対の枠体が外箱に挿入されることによって包装箱全体の剛性を向上させることができる。
なお、特許文献１に係る包装箱において、一対の枠体は、段ボール紙を中央折線で折り返して重ね合わせることによって構成されており、その中央折線部分には、側板が設けられていない。このため、一対の枠体の中央折線部分の強度が極端に弱くなり、包装箱の一部の剛性が他の部分と比べて著しく低くなるという問題点がある。かかる問題点は、第２発明の構成の採用により、解消することができる。
【００１５】
第３発明の構成を採用することにより、折込みフラップによって物品がより安定的に保持されるのは勿論のこと、万一、衝撃または機械的圧力の作用による外箱の変形が内部の可撓性シートにまで及んだとしても、折込みフラップによって衝撃または機械的圧力の作用を抑えることができる。
【００１６】
第４発明の構成を採用することにより、可撓性シートを比較的安価に作製することができるとともに、廃棄する際に分別等の手間を軽減することができる。
【図面の簡単な説明】
【００１７】
【図１】本発明の一実施形態に係る包装箱の全体斜視図
【図２】外箱の組立状態の全体斜視図（ａ）および展開状態の全体斜視図（ｂ）
【図３】枠体の展開状態の平面図（ａ）、側面図（ｂ）および底面図（ｃ）
【図４】包装箱の要部縦断面図
【図５】枠体の組立状態の全体斜視図で、可撓性シート貼付面側から見た図（ａ）および可撓性シート膨出面側から見た図（ｂ）
【図６】包装箱を用いた物品の包装作業の説明図
【図７】他の態様例に係る枠体の展開状態の平面図（ａ）、側面図（ｂ）および底面図（ｃ）
【発明を実施するための形態】
【００１８】
次に、本発明による包装箱の具体的な実施の形態について、図面を参照しつつ説明する。
【００１９】
＜包装箱の概略説明＞
図１に示される包装箱１は、下側に配される第１の枠体２と、上側に配される第２の枠体３と、これら枠体２，３が挿入される外箱４とを備えて構成されている。
なお、本実施形態おいては、各枠体２，３および外箱４はいずれも段ボール紙を用いて作製されている。
【００２０】
＜外箱の概略説明＞
図２（ｂ）に示されるように、外箱４は、前後左右にそれぞれ配される４つの側板５，６，７，８を備えている。
各側板５，６，７，８の上辺部には、折り線を介してフラップ９，１０，１１，１２がそれぞれ連設されている。
各側板５，６，７，８の下辺部にも、同様に折り線を介してフラップ１３，１４，１５，１６がそれぞれ連設されている。
この外箱４においては、左右の側板７，８の下側のフラップ１５，１６をそれぞれ内側に折り曲げ、次いで前後の側板５，６の下側のフラップ１３，１４をそれぞれ既に折り曲げられたフラップ１５，１６に重ね合わせるように折り曲げ、フラップ１３，１４の合わせ目に沿って図示されない粘着テープを左右の側板７，８に架け渡すように貼り付けることにより、それらフラップ１３，１４，１５，１６によって底板１７（図２（ａ）参照）が形成される。
また、左右の側板７，８の上側のフラップ１１，１２をそれぞれ内側に折り曲げ、次いで前後の側板５，６の上側のフラップ９，１０をそれぞれ既に折り曲げられたフラップ１１，１２に重ね合わせるように折り曲げ、フラップ９，１０の合わせ目に沿って図示されない粘着テープを左右の側板に架け渡すように貼り付けることにより、それらフラップ９，１０，１１，１２によって天板１８（図２（ａ）参照）が形成される。
【００２１】
＜枠体の説明＞
図１に示される第１の枠体２と第２の枠体３とは基本的に同じ構造のものである。代表として、第１の枠体２の構造について図３を用いて説明することとし、この第１の枠体２の構造説明をもって第２の枠体３の構造を説明したものとする。
第１の枠体２は、物品Ｗを嵌め込み可能な開口２０を有する枠部２１を備えている。
枠部２１は、後述する可撓性シート３０が貼り付けられる可撓性シート貼付側板面２１ａを有する四角形板状の枠材で構成されている。この枠部２１の前後の辺部には、それぞれ折り線を介して前後の側板２２，２３が連設されるとともに、この枠部２１の左右の辺部には、それぞれ折り線を介して左右の側板２４，２５が連設されている。これら側板２２，２３，２４，２５が、枠部２１における可撓性シート貼付側板面２１ａの反対側の板面２１ｂ（以下、「可撓性シート膨出側板面２１ｂ」と称する。）に対して直角を成すように折り線に沿って折り曲げられることにより、枠体２の強度を全周に亘って向上させることができるのは勿論のこと、枠体２が外箱４に挿入されることによって包装箱１全体の剛性を向上させることができる。
なお、可撓性シート膨出側板面２１ｂに対して直角を成すように折り曲げられた側板２２〜２５の可撓性シート膨出側板面２１ｂからの高さ寸法は、図４に示されるように、側板２２〜２５が外箱１の底板１７または天板１８に当接され、かつ後述する可撓性シート３０が物品Ｗを保持している状態において、可撓性シート３０と底板１７または天板１８との間に隙間を存して、可撓性シート３０が底板１７または天板１８に接触しないように定められている。
【００２２】
＜可撓性シートの説明＞
図５に示されるように各枠体２，３において、枠部２１には、可撓性シート３０が貼り付けられている。
可撓性シート３０は、比較的安価で廃棄する際の分別等の手間を軽減することができる布製生地または不織布またはビニールよりなるものである。この可撓性シート３０において、その外周部は、枠部２１の可撓性シート貼付側板面２１ａに図示されない両面粘着テープまたは化学のり等の貼付手段によって固定され、その他の部分は、枠部２１の開口２０を通して嵌め込まれる物品Ｗの半分を保持することができるように撓ませた状態で可撓性シート貼付側板面２１ａから可撓性シート膨出側板面２１ｂへと貫く方向に開口２０を通して膨出されている。
こうして、可撓性シート３０を撓ませた状態で枠部２１に簡単に貼り付けることができ、包装箱の作製の容易化を図ることができる。なお、開口２０の形状、大きさおよび可撓性シート３０の撓ませ度合いは物品Ｗの形状、大きさ等に応じて変えることができる。
【００２３】
以上に述べたように構成される包装箱１を用いた物品Ｗの包装作業について、主として図６を用いて説明する。
かかる包装作業を行うにあたっては、第１の枠体２、第２の枠体３および外箱４をそれぞれ準備しておく。
なお、この段階の外箱４においては、前後左右の側板５，６，７，８における下側のフラップ１３，１４，１５，１６の所定手順による折り曲げと粘着テープによる固定にて底板１７が形成された状態にある。一方、前後左右の側板５，６，７，８における上側のフラップ９，１０，１１，１２は、展開された状態にあり、外箱４は上方に開放されている。
【００２４】
＜第１の枠体の挿入工程の説明＞
図６（ａ）に示されるように、第１の枠体２を外箱４に挿入する。
ここで、第１の枠体２においては、図５（ａ）（ｂ）に示されるように、枠部２１の可撓性シート膨出側板面２１ｂに対して直角を成すように側板２２〜２５が折り線に沿って折り曲げられた状態で、可撓性シート膨出側板面２１ｂを下側に向けて、外箱４の底板１７（図２（ａ）参照）と向き合うようにして、側板２２〜２５がその底板１７に突き当たるまで、外箱４の内部に押し込まれる。
【００２５】
＜物品の詰め込み工程の説明＞
図６（ｂ）に示されるように、外箱４の内部に挿入された第１の枠体２における開口２０（図６（ａ）参照）に垂れ下がるように架けられた可撓性シート３０上に物品Ｗを置く。これにより、可撓性シート３０によって物品Ｗの下半分が保持される。
【００２６】
＜第２の枠体の挿入工程の説明＞
図６（ｃ）に示されるように、第２の枠体３を外箱４に挿入する。
ここで、第２の枠体３においては、図５（ａ）（ｂ）に示されるように、枠部２１の可撓性シート膨出側板面２１ｂに対して直角を成すように側板２２〜２５が折り線に沿って折り曲げられた状態で、可撓性シート膨出側板面２１ｂを上側に向けて、既に外箱４に挿入されている第１の枠体２における可撓性シート貼付側板面２１ａと向き合うようにして、第１の枠体２に突き当たるまで、外箱４の内部に押し込まれる。
こうして、第１の枠体２に貼り付けられた可撓性シート３０と、第２の枠体３に貼り付けられた可撓性シート３０とにより構成される袋状体３１（図４参照）によって物品Ｗの全体が包み込まれるようにして保持される。
【００２７】
＜外箱の組み上げ工程の説明＞
そして、図６（ｄ）に示されるように、外箱４を組み上げる。すなわち、図２（ｂ）に示される外箱４において、左右の側板７，８の上側のフラップ１１，１２をそれぞれ内側に折り曲げ、次いで前後の側板５，６の上側のフラップ９，１０をそれぞれ既に折り曲げられたフラップ１１，１２に重ね合わせるように折り曲げ、フラップ９，１０の合わせ目に沿って図示されない粘着テープを左右の側板７，８に架け渡すように貼り付ける。
こうして、包装箱１が組み上げられて、物品Ｗの包装が完了する。
【００２８】
＜本実施形態の作用効果の説明＞
本実施形態の包装箱１によれば、一対の枠体２，３にそれぞれ貼り付けられた可撓性シート３０，３０で構成される袋状体３１によって物品Ｗが保持されるので、物品Ｗの強度が低くても包装可能で、衝撃または機械的圧力から物品Ｗを保護することができ、しかも作製が容易であるという効果がある。
【００２９】
以上、本発明の包装箱について、一実施形態に基づいて説明したが、本発明は上記実施形態に記載した構成に限定されるものではなく、その趣旨を逸脱しない範囲において適宜その構成を変更することができるものである。
【００３０】
例えば、図３に示される枠体２，３に代えて、図７に示される枠体２Ａ，３Ａを採用してもよい。この図７に示される各枠体２Ａ，３Ａにおいては、開口２０の左右の縁部にそれぞれ折り線を介して三角形状の折込みフラップ４１，４１が連設されるとともに、開口２０の前後の縁部にそれぞれ折り線を介して台形状の折込みフラップ４２，４２が連設され、物品Ｗが開口２０を通して嵌め込まれる際にそれら折込みフラップ４１，４１，４２，４２が可撓性シート膨出側板面２１ｂ側に折り込まれてその物品Ｗに可撓性シート３０を介して押し当てられる。このような構成を採用することにより、折込みフラップ４１，４１，４２，４２によって物品Ｗがより安定的に保持されるのは勿論のこと、万一、衝撃または機械的圧力の作用による外箱４の変形が内部の可撓性シート３０，３０にまで及んだとしても、折込みフラップ４１，４１，４２，４２によって衝撃または機械的圧力の作用を抑えることができる。
【００３１】
また、上記の実施形態においては、各枠体２，３に開口２０を１個だけ設けて物品を１個だけ包装する例を示したが、これに限定されるものではなく、複数個の物品Ｗを包装するために、開口２０を複数個設ける態様もあり得る。この場合、各開口２０の大きさは物品Ｗの大きさに応じて変えることになる。
【産業上の利用可能性】
【００３２】
本発明の包装箱は、物品の強度が低くても包装可能で、衝撃または機械的圧力から物品を保護することができ、しかも作製が容易であるという特性を有していることから、ガラス製品や陶磁器、美術工芸品、精密機器などのような衝撃または機械的圧力に敏感な物品の包装の用途に好適に用いることができる。
【符号の説明】
【００３３】
１          包装箱
２          第１の枠体
３          第２の枠体
４          外箱
２０        開口
２１        枠部
２２〜２５  側板
３０        可撓性シート
４１，４２  折込みフラップ
【図１】
2012035856.tif 000003
【図２】
2012035856.tif 000004
【図３】
2012035856.tif 000005
【図４】
2012035856.tif 000006
【図５】
2012035856.tif 000007
【図６】
2012035856.tif 000008
【図７】
2012035856.tif 000009